(57)【要約】  【課題】  異常な状態のダイヤル発信のダイヤル情報を再ダイヤル情報として記憶せず、再ダイヤル発信による誤接続を防止する電話機を提供する。  【解決手段】  制御回路（例えば、マイコン）４に、終話検出手段１５、電圧低下検出手段１６、終了処理手段１７、一時記憶手段１８、判定手段１９を有する再ダイヤル制御手段１１を備え、異常なダイヤル発信の場合には、異常を示すフラグ“１”のみをメモリ５に書き込んで、マイコンを停止する。【選択図】  図２
2006166001.tif 000002
【特許請求の範囲】
【請求項１】
局交換機または構内交換機から供給される直流電源で動作し、再ダイヤル機能を有する電話機であって、
ダイヤル発信中にブランチ接続された通信装置に直流電流が流れ、直流電圧が低下してダイヤル発信が無効になる場合、メモリに特殊情報を記憶させるとともに、再ダイヤル情報を記憶させない制御を行う再ダイヤル制御手段を備えたことを特徴とする電話機。
【請求項２】
前記再ダイヤル制御手段は、オンフックによる終話を検出する終話検出手段と、前記通信装置のオフフックに起因する低下電圧を検出する電圧低下検出手段と、前記電圧低下検出手段からの低下電圧に基づいて終了処理を実行する終了処理手段と、ダイヤル情報を一時記憶する一時記憶手段と、前記メモリへの特殊情報および再ダイヤル情報の書き込みを判定する判定手段と、を備えたことを特徴とする請求項１記載の電話機。
【請求項３】
前記電圧低下検出手段は、第１の電圧値と、第１の電圧値よりも低い第２の電圧値を検出することを特徴とする請求項２記載の電話機。
【請求項４】
前記メモリは、不揮発性メモリで構成したことを特徴とする請求項１記載の電話機。
【請求項５】
前記メモリは、特殊情報を格納する特殊情報記憶領域と、特殊情報に対応して再ダイヤル情報を記憶する再ダイヤル情報記憶領域と、を備えたことを特徴とする請求項１または請求項４記載の電話機。
【発明の詳細な説明】
【技術分野】
【０００１】
本発明は再ダイヤルを記憶するメモリを備えた電話機に係り、特にダイヤル発信操作中に、ブランチ接続された通信装置がオフフックされて電話機に供給される回線電圧が低下した場合、異常（不完全）なダイヤル番号を再ダイヤル情報としてメモリに記憶させない電話機に関する。
【背景技術】
【０００２】
従来の電話機において、局交換機または構内交換機から供給される通話電流を電源として使用し、動作する一般的な電話機の再ダイヤルの記憶には、待機時に消費電流の少ないマイコンと耐久性の高いリチウム電池を使用し、メモリ（例えば、ＲＡＭ）に再ダイヤル用のダイヤル番号を記憶させた後にマイコンを停止状態にすることにより、消費電流を少なく抑えてリチウム電池によるメモリのメモリバックアップを長期間に亘って保証するものが知られている。
【０００３】
このように構成された従来の電話機は、電池によりバックアップされているため、例えば電話機でダイヤル発信中や通話中に、電話機にブランチ接続された直流抵抗の低いファクシミリ装置などの通信装置がオフフックされた場合には、電話回線に供給される回線電圧が低下して電話機の電話機電圧も低下することになる。
【０００４】
このような状態でも、電話機は、短期間には電池でバックアップされているため、マイコンを継続して駆動し、再ダイヤル用のダイヤル番号をメモリに記憶し、マイコンの処理を完結してからマイコンを停止状態にすることにより、再ダイヤルのメモリ保持が可能となる。
【０００５】
このことは、再ダイヤル用のダイヤル番号をメモリに記憶中に、マイコンの動作が停止したり、中断するようなことがないため、再ダイヤルメモリの記憶内容（ダイヤル番号）が異常になることがないと言える。
【０００６】
しかしながら、バッテリバックアップされた従来の電話機には、技術上または製造上厳しい以下の２つの条件がある。
【０００７】
第１の条件は、局交換機または構内交換機から供給される直流電源で動作する電話機の通話中には、電池の電圧よりも必ず高い電圧を維持し、電池の電流を使用しないようにする。または電池から電流が流出しないようにする。この条件が崩れると、通話中にマイコンの動作電流がすべて電池から供給されることになり、短時間で電池の電流容量に達してしまい、電池切れになってしまう。
【０００８】
第２の条件は、電話機を使用していない時には、マイコンが停止状態となっているが、メモリに再ダイヤルのダイヤル情報を記憶させた後、マイコンを停止状態にし、電池の消費電流を抑えてメモリ（例えば、ＲＡＭ）の記憶を長時間保持するためには、マイコンおよび周辺回路の漏れ電流を極限まで少なくしなければ、長期間に亘ってメモリのダイヤル情報を保存することが不可能になる。電話機の製品寿命までメモリバックアップを実現するためには、製品の環境条件も考慮した上で漏れ電流を１μＡ以下程度に抑えなければならないため、非常に厳しい条件になる。
【０００９】
第１の条件および第２の条件をクリアするため、最近では記憶内容の保持に電池によるバックアップが不要なメモリとして不揮発性メモリが採用されている。不揮発性メモリ（例えば、ＥＥＰＲＯＭ）を採用することにより、通話が終了してから電圧がなくなるまでに不揮発性メモリに再ダイヤルを書き込み、マイコンを停止するだけで、メモリを電池でバックアップすることが不要となる。さらに、不揮発性メモリに１バイト毎に書き込み可能なものを用いて、ダイヤルボタンを押す毎に１桁づつダイヤル番号を不揮発性メモリ（例えば、ＥＥＰＲＯＭ）に記憶させることにより、確実にダイヤル発信したダイヤル番号が再ダイヤルとして記憶可能になる。
【００１０】
また、従来の電話機は、「特許文献１」（メモリダイヤル電話機）に開示されているように、ダイヤル発信を行う動作モードと、低消費電力の待機モードの切替端子を有するダイヤルメモリと、ダイヤルメモリに対してループ電流により電源供給を行う電源供給回路と、ダイヤルメモリに対して小電流の電源供給を行うバックアップ用の電池とを備え、フックスイッチのオン（オフフック）またはオフ（オンフック）に即応してダイヤルメモリを動作モードまたは待機モードにするととともに、短時間の線間電圧の低下に対しては動作モードを維持するものである。
【特許文献１】特開昭６２−２３２２５１号公報
【発明の開示】
【発明が解決しようとする課題】
【００１１】
従来の電話機および「特許文献１」に開示された電話機は、ダイヤル発信中に、電話機にブランチ接続された直流抵抗の低いファクシミリ装置などがオフフックされた場合には、電話機の回線電圧が低下してしまい、このような状態が長時間に亘って継続する場合には、電池によるバックアップができなくなり、電池が無くなった場合には、電話機の動作が不完全となって、ダイヤル操作途中までの異常（不完全）な、利用者の意図しない再ダイヤルの内容がメモリに記憶されてしまい、再ダイヤルをした場合に不完全なメモリ内容がダイヤル発信されて誤接続してしまう虞がある。
【００１２】
なお、上記のようなダイヤル操作途中までの異常（不完全）な、再ダイヤルの内容がメモリに記憶されてしまう現象は、メモリバックアップの不要な不揮発性メモリを採用した場合にも、同様に発生する。
【００１３】
この発明はこのような課題を解決するためになされたもので、その目的は異常な状態のダイヤル発信のダイヤル情報を再ダイヤル情報として記憶せず、再ダイヤル発信による誤接続を防止する電話機を提供することにある。
【課題を解決するための手段】
【００１４】
前記課題を解決するためこの発明に係る電話機は、局交換機または構内交換機から供給される直流電源で動作し、再ダイヤル機能を有する電話機であって、ダイヤル発信中にブランチ接続された通信装置に直流電流が流れ、直流電圧が低下してダイヤル発信が無効になる場合、メモリに特殊情報を記憶させるとともに、再ダイヤル情報を記憶させない制御を行う再ダイヤル制御手段を備えたことを特徴とする。
【００１５】
この発明に係る電話機は、ダイヤル発信中にブランチ接続された通信装置に直流電流が流れ、直流電圧が低下してダイヤル発信が無効になる場合、メモリに特殊情報を記憶させるとともに、再ダイヤル情報を記憶させない制御を行う再ダイヤル制御手段を備えたので、電話機の電圧低下による異常（不完全）なダイヤル発信のダイヤル情報をメモリに記憶させることを禁止することができる。
【００１６】
また、この発明に係る再ダイヤル制御手段は、オンフックによる終話を検出する終話検出手段と、通信装置のオフフックに起因する低下電圧を検出する電圧低下検出手段と、電圧低下検出手段からの低下電圧に基づいて終了処理を実行する終了処理手段と、ダイヤル情報を一時記憶する一時記憶手段と、メモリへの特殊情報および再ダイヤル情報の書き込みを判定する判定手段とを備えたことを特徴とする。
【００１７】
この発明に係る再ダイヤル制御手段は、オンフックによる終話を検出する終話検出手段と、通信装置のオフフックに起因する低下電圧を検出する電圧低下検出手段と、電圧低下検出手段からの低下電圧に基づいて終了処理を実行する終了処理手段と、ダイヤル情報を一時記憶する一時記憶手段と、メモリへの特殊情報および再ダイヤル情報の書き込みを判定する判定手段とを備えたので、正常なダイヤル発信と不完全なダイヤル発信を特殊情報によって判定することができる。
【００１８】
さらに、この発明に係る電圧低下検出手段は、第１の電圧値と、第１の電圧値よりも低い第２の電圧値を検出することを特徴とする。
【００１９】
この発明に係る電圧低下検出手段は、第１の電圧値と、第１の電圧値よりも低い第２の電圧値を検出するので、終話検出手段がオンフックによる終話を検出することがないまま第１の電圧値と第２の電圧値を検出した場合には、異常なダイヤル発信として特殊情報をメモリに記憶させ、再ダイヤルのダイヤル情報を記憶させないようにすることができる。
【００２０】
また、この発明に係るメモリは、不揮発性メモリで構成したことを特徴とする。
【００２１】
この発明に係るメモリは、不揮発性メモリで構成したので、制御プログラム、シーケンスプログラムおよび再ダイヤル情報のメモリバックアップに電池を必要としないので、長期間に亘るメモリ保存を容易に実現することができる。
【００２２】
さらに、この発明に係るメモリは、特殊情報を格納する特殊情報記憶領域と、特殊情報に対応して再ダイヤル情報を記憶する再ダイヤル情報記憶領域とを備えたことを特徴とする。
【００２３】
この発明に係るメモリは、特殊情報を格納する特殊情報記憶領域と、特殊情報に対応して再ダイヤル情報を記憶する再ダイヤル情報記憶領域とを備えたので、正常なダイヤル発信の場合には、特殊情報（例えば、フラグ“０”）およびダイヤル情報を書き込み、異常なダイヤル発信の場合には、特殊情報（例えば、“１”）のみを書き込むことができる。さらに、正常に終話した場合には、特殊情報（例えば、“０”）のみを書き込む。
【発明の効果】
【００２４】
この発明に係る電話機は、ダイヤル発信中にブランチ接続された通信装置に直流電流が流れ、直流電圧が低下してダイヤル発信が無効になる場合、メモリに特殊情報を記憶させるとともに、再ダイヤル情報を記憶させない制御を行う再ダイヤル制御手段を備えたので、電話機の電圧低下による異常（不完全）なダイヤル発信のダイヤル情報をメモリに記憶させることを禁止することができ、再ダイヤルによる誤接続や無効ダイヤルを未然に防止することができる。
【００２５】
また、この発明に係る再ダイヤル制御手段は、オンフックによる終話を検出する終話検出手段と、通信装置のオフフックに起因する低下電圧を検出する電圧低下検出手段と、電圧低下検出手段からの低下電圧に基づいて終了処理を実行する終了処理手段と、ダイヤル情報を一時記憶する一時記憶手段と、メモリへの特殊情報および再ダイヤル情報の書き込みを判定する判定手段とを備えたので、正常なダイヤル発信と不完全なダイヤル発信および正常な終話を特殊情報によって判定することができ、正常なダイヤル発信のみを再ダイヤルのダイヤル情報としてメモリに記憶させることができる。
【００２６】
さらに、この発明に係る電圧低下検出手段は、第１の電圧値と、第１の電圧値よりも低い第２の電圧値を検出するので、終話検出手段がオンフックによる終話を検出することがないまま第１の電圧値と第２の電圧値を検出した場合には、異常なダイヤル発信として特殊情報（例えば、フラグ“１”）をメモリに記憶させ、再ダイヤルのダイヤル情報を記憶させないようにすることができ、再ダイヤルによる誤接続を未然に防止することができる。
【００２７】
また、この発明に係るメモリは、不揮発性メモリで構成したので、制御プログラム、シーケンスプログラムおよび再ダイヤル情報のメモリバックアップに電池を必要としないので、長期間に亘るメモリ保存を容易に実現することができる。
【００２８】
さらに、この発明に係るメモリは、特殊情報を格納する特殊情報記憶領域と、特殊情報に対応して再ダイヤル情報を記憶する再ダイヤル情報記憶領域とを備えたので、正常なダイヤル発信の場合には、特殊情報（例えば、フラグ“０”）およびダイヤル情報を書き込み、異常なダイヤル発信の場合には、特殊情報（例えば、“１”）のみを書き込み、正常終話の場合には特殊情報（例えば、フラグ“０”）のみを書き込むことができ、次回の再ダイヤル発信を容易かつ正確に実行することができる。
【発明を実施するための最良の形態】
【００２９】
以下、この発明の実施の形態を添付図面に基づいて説明する。なお、本発明はダイヤル発信の途中にブランチ接続されたファクシミリ装置などがオフフックされ、電話機に供給される回線電圧が低下し、ダイヤル発信のダイヤル番号が異常になるような場合に、再ダイヤル用のメモリに異常ダイヤルを表わす特殊情報（例えば、“１”）のみを書き込み、次回の再ダイヤルによる誤接続を未然に防止するものである。
【００３０】
図１はこの発明に係る電話機の一実施の形態要部回路ブロック構成図である。図１において、電話機１は、オンフック状態（ハンドセット９を降ろした状態）では、フックスイッチＨＳ１の接点がブレーク状態にあり、コンデンサＣ１を介して着信回路２に接続され、着信があって電話回線Ｌを介して電話機端子Ｌ１，Ｌ２から呼出信号が供給されると、着信回路２が動作して着信信号が発生し、スピーカＳＰから着信音を出力する。
【００３１】
また、ユーザがオフフック状態（ハンドセット９を持上げた状態）にすると、フックスイッチＨＳ１の接点がメーク状態になり、電話機端子Ｌ１，Ｌ２間に回線電圧ＶLが供給され、電話回線Ｌから定電流回路３で決定される定電流（例えば、１ｍＡ）が抵抗Ｒ１に流れ、ＮＰＮトランジスタＱ２、ＰＮＰトランジスタＱ１をオン状態にして通話電流が通話回路８および抵抗Ｒ２に流れ、通話回路８を動作状態にする。なお、通話回路８間の電圧は、電話機電圧ＶTELとなる。
【００３２】
抵抗Ｒ２に流れる直流電流（通話電流の一部）は、コンデンサＣ２に充電されるとともに、ダイオードを介してコンデンサＣ３に充電し、充電されたコンデンサ電圧ＶCにより、定電圧電源回路６および電圧検出回路７を駆動する。また、抵抗Ｒ２とコンデンサＣ２の直列回路は、電話機１の交流インピーダンス（６００Ω）を形成する。
【００３３】
定電圧電源回路６は、コンデンサ電圧ＶCを安定化した一定の定電圧ＶTで出力し、この定電圧ＶTで制御回路４およびメモリ５を駆動する。
【００３４】
また、定電圧ＶTは、抵抗とフックスイッチＨＳ２で分圧され、分圧されたオンフック電圧ＶHを制御回路４に提供する。なお、フックスイッチＨＳ２は、フックスイッチＨＳ１と連動して動作し、定電圧ＶTが印加された状態（オフフック状態）では、接点がメーク状態になってオンフック電圧ＶHが接地電圧（ＧＮＧ電圧＝０ｖ：Ｌレベル）となる。
【００３５】
一方、この状態からオンフック状態（ハンドセット９を降ろした状態）になると、フックスイッチＨＳ２の接点がブレーク状態となり、オンフック電圧ＶHが定電圧ＶTと等しく（ＶH＝ＶT）なってＨレベルになる。なお、オンフック状態では、フックスイッチＨＳ１の接点がブレーク状態になって通話電流の供給がなくなるためにコンデンサＣ３に充電された電荷が放電することによりコンデンサ電圧ＶCが低下し、定電圧電源回路６が定電圧ＶTを維持できなくなって低下し、オンフック電圧ＶHもＨレベルから時間の経過にしたがって低下する。
【００３６】
電圧検出回路７は、コンデンサＣ３から供給されるコンデンサ電圧ＶCが増加し、制御回路４（例えば、マイコン）のリセット電圧Ｖ２（第２の電圧値）を越える電圧値を検出すると、Ｌレベルのリセット電圧Ｖ２を制御回路４に提供し、制御回路４を動作状態にする。
【００３７】
一方、電圧検出回路７は、コンデンサＣ３から供給されるコンデンサ電圧ＶCが低下し、制御回路４（例えば、マイコン）のリセット電圧Ｖ２（第２の電圧値）を検出すると。Ｈレベルのリセット電圧Ｖ２を制御回路４に提供し、制御回路４を停止状態（リセット）にする。
【００３８】
また、電圧検出回路７は、コンデンサＣ３から供給されるコンデンサ電圧ＶCが増加し、制御回路４（例えば、マイコン）の処理電圧Ｖ１（第１の電圧値）を越える電圧値を検出すると、Ｌレベルの処理電圧Ｖ１を制御回路４に提供し、制御回路４による制御を開始する。
【００３９】
一方、電圧検出回路７は、コンデンサＣ３から供給されるコンデンサ電圧ＶCが低下し、制御回路４（例えば、マイコン）の処理電圧Ｖ１（第１の電圧値）を検出すると、Ｈレベルの処理電圧Ｖ１を制御回路４に提供し、制御回路４による制御の終了処理を実行する。
【００４０】
なお、処理電圧Ｖ１は、リセット電圧Ｖ２よりも大きな値（Ｖ１＞Ｖ２）で、処理電圧Ｖ１およびリセット電圧Ｖ２がＬレベルの場合には、制御回路４が動作して制御を実行し、処理電圧Ｖ１およびリセット電圧Ｖ２がＨレベルの場合には、制御回路４の制御の終了処理を実行して動作を停止（リセット）する。
【００４１】
また、制御の終了処理は、処理電圧Ｖ１がＨレベルになってからリセット電圧Ｖ２がＨレベルになるまでの間に実行する。
【００４２】
制御回路４は、マイコンなどで構成し、プログラムによるソフトウェア制御によって電話機１全体の動作を制御する。
【００４３】
また、制御回路４は、再ダイヤル制御手段１１およびダイヤル回路１２を備え、ダイヤルキー１３の操作によってダイヤル信号を発生し、電話機端子Ｌ１，Ｌ２を介して電話回線Ｌにダイヤル発信するとともに、発生したダイヤル信号を再ダイヤル情報として特殊情報とともにメモリ５に記憶するか否か制御を実行する。
【００４４】
再ダイヤル制御手段１１は、ダイヤル発信中にブランチ接続された通信装置（例えば、ファクシミリ装置２０）に直流電流が流れ、回線電圧ＶLが低下してダイヤル発信が無効になる場合、メモリ５に特殊情報（フラグ“１”）を記憶させるとともに、再ダイヤル情報を記憶させない制御を行うので、電話機の電圧（電話機電圧ＶTEL）低下による異常（不完全）なダイヤル発信のダイヤル情報をメモリに記憶させることを禁止する。
【００４５】
ダイヤル回路１２は、キー１０の操作によりダイヤルキー１３から供給されるキー情報ＪKに対応してＰＢ信号またはＤＰ信号を発生し、電話機端子Ｌ１，Ｌ２を介してダイヤル発信を実行する。
【００４６】
ＰＢ（ＤＴＭＦ）信号の場合には、通話回路８を介して送出し、ＤＰ信号の場合には、ＮＰＮトランジスタＱ３、ＮＰＮトランジスタＱ２およびＰＮＰトランジスタＱ１を介してパルス信号を送出する。
【００４７】
メモリ５は、ＥＥＰＲＯＭなどの不揮発性メモリで構成し、再ダイヤル情報を格納するか格納を禁止するかを表わす特殊情報（例えば、フラグ“０”、またはフラグ“１”）を格納する特殊情報記憶領域と、特殊情報に対応して再ダイヤル情報を格納する再ダイヤル情報記憶領域を備え、再ダイヤル制御手段１１の制御により、ダイヤル発信されたダイヤル情報を再ダイヤル情報として記憶したり、記憶しなかったりする。
【００４８】
このように、この発明に係るメモリ５は、不揮発性メモリで構成したので、制御プログラム、シーケンスプログラムおよび再ダイヤル情報のメモリバックアップに電池を必要としないので、長期間に亘るメモリ保存を容易に実現することができる。
【００４９】
通話回路８は、通話ＩＣなどで構成し、ハンドセット９の送話ユニットＴからの音声を音響−電気変換して送話信号を電話機端子Ｌ１，Ｌ２を介して電話回線Ｌに送出するとともに、電話回線Ｌから電話機端子Ｌ１，Ｌ２を介して入力される音声信号を受話器ユニットＲで電気−音響変換して音声を発生することにより、相手先と通話を行う。
【００５０】
ここで、電話回線Ｌに電話機１と他の通信装置（例えば、ファクシミリ装置２０）がブランチ接続された状態について説明する。図６は電話機とファクシミリ装置が電話回線にブランチ接続された状態図である。図６において、電話機１とファクシミリ装置２０が電話回線Ｌにブランチ接続され、電話機１がオフフックした後に、直流抵抗値が小さいファクシミリ装置２０がオフフックする場合に、回線電圧ＶLが大きく低下し、電話機１のダイヤル発信や通話などに影響を及ぼす。
【００５１】
図７はブランチ接続された回線電圧の特性図である。図７において、電話機１とファクシミリ装置２０がブランチ接続された状態（双方ともにオンフック状態）から電話機１がオフフックすると、回線電圧ＶLが回線電圧ＶL1になる。回線電圧ＶL1では、電話機１は正常に動作し、ダイヤル発信、通話および再ダイヤルのメモリが正常に実行される。
【００５２】
電話機１がオフフックされて回線電圧ＶL1にある状態で、ファクシミリ装置２０がオフフックされると、回線電圧ＶLが回線電圧ＶL1より大きく低下した回線電圧ＶL3なり、電話機１のダイヤル発信やファクシミリ装置２０のダイヤル発信が不可能になったり、回線電圧ＶL3の電圧値によっては通話も不可能になる場合がある。
【００５３】
なお、ファクシミリ装置２０だけがオフフックの場合には、回線電圧ＶLが回線電圧ＶL2になり、ファクシミリ装置２０のダイヤル発信、データ送信および通話が可能である。
【００５４】
図８は電話機のダイヤル発信中にファクシミリ装置がオフフックされた状態図である。図８において、電話機１がオフフックされてダイヤル発信（ダイヤル番号：１２３４５６７８９）をしている最中に、ファクシミリ装置２０がオフフックされると、電話機１が単独のオフフック状態の回線電圧ＶL1におけるダイヤル番号“１”、“２”、“３”は、正常に出力されるが、ファクシミリ装置２０のオフフックに伴い低下した回線電圧ＶL3におけるダイヤル番号“４”、“５”、“６”、“７”は、出力されない。
【００５５】
ダイヤル番号“１”、“２”、“３”が出力され、ダイヤル番号“４”、“５”、“６”、“７”が出力されない場合には、再ダイヤル情報として“１”、“２”、“３”を記憶しても無意味なものになってしまうため、むしろ再ダイヤル情報としてダイヤル番号が記憶されないほうがよい。さらに、ファクシミリ装置２０の操作者が気付いて、ファクシミリ装置２０をオンフックすると、電話機１に回線電流が流れて回線電圧ＶLは、回線電圧ＶL1に戻り、電話機１が再び起動する。電話機１の操作者は、ファクシミリ装置２０の操作者が気付いてファクシミリ装置２０をオンフックしたことに気付かないことは良くあることで、知らずに継続してダイヤル番号“８”、“９”を入力したとすると、やはり再ダイヤル情報としてダイヤル番号が記憶されないほうが良い。
【００５６】
本願発明は、図８に示すようなダイヤル発信を無効なものと判定し、無効の特殊情報（例えば、フラグ“１”）をメモリ５に書き込み、再ダイヤル情報としてメモリ５にダイヤル番号の書き込みを禁止するものである。
【００５７】
図２はこの発明に係る再ダイヤル制御手段の一実施の形態要部ブロック構成図である。図２において、再ダイヤル制御手段１１は、終話検出手段１５、電圧低下検出手段１６、終了処理手段１７、一時記憶手段１８、判定手段１９を備える。
【００５８】
終話検出手段１５は、ユーザが通話を終了してオンフック（ハンドセット９を降ろした）した場合、フックスイッチＨＳ２の接点がブレークしたことによるＨレベルのオンフック電圧ＶHを検出し、その情報を判定手段１９に提供する。
【００５９】
電圧低下検出手段１６は、オンフック時にフックスイッチＨＳ１の接点がブレーク状態になり、電話機電圧ＶTELが０になることによってコンデンサＣ３の電荷が放電され、コンデンサ電圧ＶCの低下により電圧検出回路７から供給されるＨレベルの処理電圧Ｖ１（第１の電圧値）を検出し、その情報を終了処理手段１７に提供する。
【００６０】
また、電圧低下検出手段１６は、コンデンサ電圧ＶCの低下により電圧検出回路７から供給されるＨレベルのリセット電圧Ｖ２（第２の電圧値）を検出し、その情報を終了処理手段１７に提供する。
【００６１】
終了処理手段１７は、電圧低下検出手段１６から提供されるＨレベルの処理電圧Ｖ１に基づく情報を判定手段１９に提供する。
【００６２】
また、終了処理手段１７は、判定手段１９から供給される指令情報に基づいて終話処理や制御処理を行い、指令情報に対応した特殊情報（フラグ“０”またはフラグ“１”）を判定手段１９を介して一時記憶手段１８に記憶させる。
【００６３】
一時記憶手段１８は、レジスタなどの一時記憶メモリで構成し、特殊情報を格納する特殊情報記憶領域およびダイヤル番号を格納する再ダイヤル情報記憶領域を備え、ダイヤルキー１３から供給されるダイヤル番号のキー情報ＪKを再ダイヤル情報記憶領域に格納するとともに、終了処理手段１７から供給される特殊情報（フラグ“０”またはフラグ“１”）を特殊情報記憶領域に格納する。
【００６４】
判定手段１９は、終話検出手段１５から提供されるＨレベルのオンフック電圧ＶHに対応した情報および終了処理手段１７から提供されるＨレベルの処理電圧Ｖ１に基づく情報から指令情報を終了処理手段１７に供給し、指令情報に対応した特殊情報（フラグ“０”またはフラグ“１”）を一時記憶手段１８の特殊情報記憶領域に格納させる。
【００６５】
なお、判定手段１９は、終話検出手段１５から提供されるＨレベルのオンフック電圧ＶHに対応した情報および終了処理手段１７から提供されるＨレベルの処理電圧Ｖ１に基づく情報がある場合には、フラグ“０”の特殊情報を提供させるような指令情報を終了処理手段１７に出力し、終了処理手段１７から提供されるＨレベルの処理電圧Ｖ１に基づく情報だけの場合には、フラグ“１”の特殊情報を提供させるような指令情報を出力する。
【００６６】
また、判定手段１９は、終了処理手段１７の終話処理や制御処理が終了する時点で、一時記憶手段１８の特殊情報記憶領域の特殊情報および再ダイヤル情報記憶領域の再ダイヤル情報を検索し、フラグ“１”の特殊情報と対応した再ダイヤル情報が格納されている場合には、異常な再ダイヤル情報と判定し、フラグ“１”のみをメモリ５に書き込む。
【００６７】
判定手段１９は、メモリ５にフラグ“１”を書き込む時に、メモリ５の特殊情報記憶領域のフラグを検索し、フラグ“０”で再ダイヤル情報記憶領域に再ダイヤル情報が格納されている場合には、メモリ５の特殊情報記憶領域にフラグ“１”を書き込み、再ダイヤル情報記憶領域の再ダイヤル情報をそのままにして残す。
【００６８】
このことは、今回のダイヤル発信に異常があり、メモリ５の特殊情報記憶領域にフラグ“１”を書き込むが、前回のダイヤル発信が正常で、再ダイヤル情報記憶領域には正常なダイヤル発信情報が再ダイヤル情報として格納されていることを表わす。
【００６９】
したがって、電話機１を個人で使用しているようなケースでは、今回のダイヤル発信が異常であっても、前回の正常なダイヤル発信の再ダイヤル情報を残しておくことで、再ダイヤル発信に利用することができる。
【００７０】
また、判定手段１９は、メモリ５にフラグ“１”を書き込む時に、メモリ５の特殊情報記憶領域のフラグおよび再ダイヤル情報記憶領域の再ダイヤル情報が何であっても、特殊情報記憶領域にフラグ“１”を書き込み、再ダイヤル情報記憶領域の再ダイヤル情報をクリアするように構成してもよい。
【００７１】
このことは、電話機１を複数で使用しているようなケースでは、同じ人が続けてダイヤル発信するような場合以外に、再ダイヤルを利用するメリットが期待できないからである。
【００７２】
一方、判定手段１９は、メモリ５にフラグ“０”を書き込む時に、メモリ５の特殊情報記憶領域のフラグを検索し、フラグ“１”である場合は、メモリ５の特殊情報記憶領域にフラグ“０”を書き込み、再ダイヤル情報記憶領域の再ダイヤル情報をそのまま残す。このことは今回正常に終話するが、一時記憶手段１８の再ダイヤル情報記憶領域には異常があり、メモリ５の前々回の正常なダイヤル発信の再ダイヤル情報を残しておくことで、再ダイヤル発信に利用することができる。
【００７３】
その後、終了処理手段１７は、電圧低下検出手段１６から電圧検出回路７から供給されるＨレベルのリセット電圧Ｖ２に対応した情報が提供された時点で制御回路４（例えば、マイコン）をリセットして停止する。
【００７４】
このように、この発明に係る再ダイヤル制御手段１１は、オンフックによる終話を検出する終話検出手段１５と、通信装置（ファクシミリ装置２０）のオフフックに起因する低下電圧を検出する電圧低下検出手段１６と、電圧低下検出手段１６からの低下電圧（Ｈレベルの処理電圧Ｖ１）に基づいて終了処理を実行する終了処理手段１７と、ダイヤル情報を一時記憶する一時記憶手段１８と、メモリ５への特殊情報および再ダイヤル情報の書き込みを判定する判定手段１９とを備えたので、正常なダイヤル発信と異常（不完全）なダイヤル発信を特殊情報（フラグ“０”またはフラグ“１”）によって判定することができ、正常なダイヤル発信のみを再ダイヤルのダイヤル情報としてメモリに記憶させることができる。
【００７５】
また、この発明に係る電圧低下検出手段１６は、第１の電圧値（Ｈレベルの処理電圧Ｖ１）と、第１の電圧値よりも低い第２の電圧値（Ｈレベルのリセット電圧Ｖ２）を検出するので、終話検出手段１５がオンフックによる終話（Ｈレベルのオンフック電圧ＶH）を検出することがないまま第１の電圧値（処理電圧Ｖ１）と第２の電圧値（リセット電圧Ｖ２）を検出した場合には、異常なダイヤル発信として特殊情報（例えば、フラグ“１”）をメモリ５に記憶させ、再ダイヤルのダイヤル情報（再ダイヤル情報）を記憶させないようにすることができ、再ダイヤルによる誤接続を未然に防止することができる。
【００７６】
図３はこの発明に係る電話機の各部電圧の一実施の形態状態図である。図３において、コンデンサ電圧ＶCは、電話機１が単独でオフフック状態から時間０でオンフックされると、コンデンサＣ３の放電に伴って電圧が低下していく。
【００７７】
オンフック電圧ＶHは、オフフック状態ではＬレベルのオンフック電圧ＶHを出力し、オンフックされると、時間０でＨレベルのオンフック電圧ＶHを出力する。
【００７８】
処理電圧Ｖ１は、オフフック状態ではＬレベルの処理電圧Ｖ１を出力し、オンフックされると、時間ｔ１後にＨレベルの処理電圧Ｖ１を出力する。
【００７９】
リセット電圧Ｖ２は、オフフック状態ではＬレベルのリセット電圧Ｖ２を出力し、オンフックされると、時間ｔ２後にＨレベルのリセット電圧Ｖ２を出力する。
【００８０】
一方、電話機１が単独でオフフック状態から時間０でブランチ接続されたファクシミリ装置２０がオフフックされると、電話機電圧ＶTELの低下に伴い、コンデンサ電圧ＶCは、電話機１が単独でオフフック状態から時間０でオンフックされるのと同様な傾向で、コンデンサＣ３の放電に伴ってコンデンサ電圧ＶCが低下していく。
【００８１】
この場合には、電話機１がオンフックされていないので、オンフック電圧ＶHは、Ｌレベルのオンフック電圧ＶHを継続して出力する。
【００８２】
処理電圧Ｖ１およびリセット電圧Ｖ２は、それぞれ時間ｔ１および時間ｔ２で、Ｈレベルの処理電圧Ｖ１およびリセット電圧Ｖ２を出力する。
【００８３】
電話機１が単独でオフフックからオンフックまでの動作と、電話機１がオフフックの状態で、ブランチ接続されたファクシミリ装置２０がオフフックした動作では、電話機１のオンフックに伴うＨレベルのオンフック電圧ＶHの出力が有るか否かの相違がある。
【００８４】
再ダイヤル制御手段１１は、Ｈレベルのオンフック電圧ＶHとＨレベルの処理電圧Ｖ１の順序でオンフック電圧ＶHおよび処理電圧Ｖ１を検出し、メモリ５の前回のフラグがフラグ“０”である場合には、正常なダイヤル発信がなされたと判定し、フラグ“０”および再ダイヤル情報をメモリ５に書き込むことになる。しかし、メモリ５の前回フラグがフラグ“１”である場合には、正常にダイヤル発信がなされないと判定し、フラグ“０”のみをメモリ５に書き込むことになる。
【００８５】
一方、再ダイヤル制御手段１１は、Ｈレベルのオンフック電圧ＶHを検出することなく、Ｈレベルの処理電圧Ｖ１を検出した場合には、異常なダイヤル発信がなされたと判定し、フラグ“１”だけをメモリ５に書き込むことになる。この場合、メモリ５の再ダイヤル情報記憶領域に格納されている再ダイヤル情報を、そのまま残すかクリアするかは、電話機１の利用環境により決定すればよい。
【００８６】
図４はこの発明に係る特殊情報および再ダイヤル情報記のメモリへの書き込みの一実施の形態イメージ図である。図４において、一時記憶手段１８の特殊情報記憶領域にフラグ“１”が記憶され、再ダイヤル情報記憶領域に異常な再ダイヤル情報「０―――５６７８」が記憶された場合には、メモリ５の特殊情報記憶領域にフラグ“１”を書き込み、再ダイヤル情報記憶領域には、なにも書き込まない。なお、再ダイヤル情報記憶領域に再ダイヤル情報「０１−１２３−４５６７」が記憶されている場合には、再ダイヤル情報「０１−１２３−４５６７」をそのまま残してもよいし、クリアして空き（「――――」）にしてもよい。
【００８７】
図５はこの発明に係る特殊情報および再ダイヤル情報記のメモリへの書き込みの別実施の形態イメージ図である。図５において、一時記憶手段１８の特殊情報記憶領域にフラグ“０”が記憶され、再ダイヤル情報記憶領域に正常な再ダイヤル情報「０３−１２３４−５６７８」が記憶された場合には、メモリ５の特殊情報記憶領域に、フラグ“０”を書き込むとともに、再ダイヤル情報記憶領域に、再ダイヤル情報「０３−１２３４−５６７８」を書き込む。または、メモリ５の前回のフラグがフラグ“１”であり、異常なダイヤル発信がなされたと判定されたが、今回、正常に終話した場合には、フラグ“０”のみをメモリ５に書き込むことになる。
【００８８】
このように、この発明に係るメモリ５は、特殊情報（例えば、フラグ）を格納する特殊情報記憶領域と、特殊情報に対応して再ダイヤル情報を記憶する再ダイヤル情報記憶領域とを備えたので、正常なダイヤル発信の場合には、特殊情報（例えば、フラグ“０”）およびダイヤル情報を書き込み、異常なダイヤル発信の場合には、特殊情報（例えば、フラグ“１”）のみを書き込むことができ、次回の再ダイヤル発信を容易かつ正確に実行することができる。
【００８９】
次に、電話機１のオフクックからダイヤル発信、通話、オンフックして再ダイヤル情報を保存し、制御回路４を停止するまでの動作について説明する。図９はこの発明に係る電話機の一実施の形態動作シーケンス図である。
【００９０】
オフフックして電話回線Ｌを捕捉し（ステップＰ１）、ダイヤル発信する（ステップＰ２）。相手先と通話し（ステップＰ３）、オンフックして電話回線Ｌを切断する（ステップＰ４）。
【００９１】
オンフック電圧ＶHの“Ｈ”レベルを検出し（ステップＰ５）、続いて処理電圧Ｖ１の“Ｈ”レベルを検出して（ステップＰ６）、前回の特殊情報のフラグがフラグ“１”かフラグ“０”かの判断を行う（ステップＰ７）。特殊情報がフラグ“１”以外の判定をした場合には、フラグ“０”を設定（ステップＰ９）するとともに、再ダイヤル情報を書き込む（ステップＰ１０）。一方、特殊情報の判断でフラグ“１”を判定した場合には、フラグ“０”に設定する（ステップＰ８）とともに、ステップＰ１４に移行して再ダイヤル情報の書き込みを禁止する。
【００９２】
ステップＰ２のダイヤル発信中やステップＰ３の相手先と通話中に、ブランチ接続されたファクシミリ装置２０をオフフックして電話回線Ｌを捕捉する（ステップＰ１１）と、処理電圧Ｖ１の“Ｈ”レベルを検出して（ステップＰ１２）、フラグ“１”を設定する（ステップＰ１３）。このとき、再ダイヤル情報の書き込みを禁止する（ステップＰ１４）。
【００９３】
ステップＰ１０またはステップＰ１４に続いて、リセット電圧Ｖ２の“Ｈ”レベルを検出し（ステップＰ１５）、制御回路４（例えば、マイコン）の動作を停止する（ステップＰ１６）。
【００９４】
なお、本実施の形態では、電話機が局交換機の電話回線に接続されているケースについて説明したが、構内交換機（ＰＢＸ）の内線に接続されているケースも同様である。
【００９５】
以上説明したように、この発明に係る電話機１は、ダイヤル発信中にブランチ接続された通信装置（ファクシミリ装置２０）に直流電流が流れ、直流電圧（回線電圧ＶL）が低下してダイヤル発信が無効になる場合、メモリ５に特殊情報（例えば、フラグ“１”）を記憶させるとともに、再ダイヤル情報を記憶させない制御を行う再ダイヤル制御手段１１を備えたので、電話機の電圧低下による異常（不完全）なダイヤル発信のダイヤル情報をメモリに記憶させることを禁止することができ、再ダイヤルによる誤接続や無効ダイヤルを未然に防止することができる。
【産業上の利用可能性】
【００９６】
本発明に係る電話機は、異常な状態のダイヤル発信のダイヤル情報を再ダイヤル情報として記憶せず、再ダイヤル発信による誤接続を防止することができ、アナログの電話回線および内線に、ファクシミリ装置のような低抵抗の通信装置とブランチ接続するあらゆる電話機に適用することができる。
【図面の簡単な説明】
【００９７】
【図１】この発明に係る電話機の一実施の形態要部回路ブロック構成図
【図２】この発明に係る再ダイヤル制御手段の一実施の形態要部ブロック構成図
【図３】この発明に係る電話機の各部電圧の一実施の形態状態図
【図４】この発明に係る特殊情報および再ダイヤル情報記のメモリへの書き込みの一実施の形態イメージ図
【図５】この発明に係る特殊情報および再ダイヤル情報記のメモリへの書き込みの別実施の形態イメージ図
【図６】電話機とファクシミリ装置が電話回線にブランチ接続された状態図
【図７】ブランチ接続された回線電圧の特性図
【図８】電話機のダイヤル発信中にファクシミリ装置がオフフックされた状態図
【図９】この発明に係る電話機の一実施の形態動作シーケンス図
【符号の説明】
【００９８】
１    電話機
２    着信回路
３    定電流回路
４    制御回路
５    メモリ
６    定電圧電源回路
７    電圧検出回路
８    通話回路
９    ハンドセット
１０    キー
１１    再ダイヤル制御手段
１２    ダイヤル回路
１３    ダイヤルキー
１４    再ダイヤルキー
１５    終話検出手段
１６    電圧低下検出手段
１７    終了処理手段
１８    一時記憶手段
１９    判定手段
２０    ファクシミリ装置
Ｌ１，Ｌ２    電話機端子
ＨＳ１，ＨＳ２    フックスイッチ
ＤＢ    ダイオードブリッジ
ＳＰ    スピーカ
Ｑ１    ＰＮＰトランジスタ
Ｑ２，Ｑ３    ＮＰＮトランジスタ
Ｃ１，Ｃ２，Ｃ３    コンデンサ
Ｌ    電話回線
ＶL    回線電圧
ＶTEL    電話機電圧
ＶC    コンデンサ電圧
ＶT    定電圧
ＶH    オンフック電圧
Ｖ１    処理電圧
Ｖ２    リセット電圧
ＪK    キー情報
【図１】
2006166001.tif 000003
【図２】
2006166001.tif 000004
【図３】
2006166001.tif 000005
【図４】
2006166001.tif 000006
【図５】
2006166001.tif 000007
【図６】
2006166001.tif 000008
【図７】
2006166001.tif 000009
【図８】
2006166001.tif 000010
【図９】
2006166001.tif 000011